(57)【要約】【課題】吸熱管に熱媒が循環しない際でも、発電パネルの温度上昇を防ぎ、発電パネルに熱による変形損傷を発生させないようなソーラーパネル、及びこのソーラーパネルで構成されるソーラーパネル集合体を提供する。【解決手段】太陽光にて発電をする発電パネル３の上面に密閉空間４を介して透明ガラス５を配置する。太陽熱と発電パネル３が発電する際の発熱とを吸熱する熱媒を通す吸熱管６を発電パネル３の下面に配設して構成した太陽光及び太陽熱利用のソーラーパネル１である。密閉空間４内の空気を換気する換気孔７を設ける。密閉空間４が所定温度以下では換気孔７を閉じると共に、密閉空間４が所定温度以上では換気孔７を開くようにした開閉弁８を設ける。【選択図】　　　　図１
2004060972.tif 000002
【特許請求の範囲】
【請求項１】
太陽光にて発電をする発電パネルの上面に密閉空間を介して透明ガラスを配置し、太陽熱と発電パネルが発電する際の発熱とを吸熱する熱媒を通す吸熱管を発電パネルの下面に配設して構成した太陽光及び太陽熱利用のソーラーパネルにおいて、密閉空間内の空気を換気する換気孔を設け、密閉空間が所定温度以下では換気孔を閉じると共に、密閉空間が所定温度以上では換気孔を開くようにした開閉弁を設けたことを特徴とするソーラーパネル。
【請求項２】
密閉空間が所定温度以下では換気孔を閉じる形状を保ち、密閉空間が所定温度以上のときには換気孔を開ける形状に変形するバイメタルや形状記憶金属で、開閉弁を構成したことを特徴とする請求項１記載のソーラーパネル。
【請求項３】
密閉空間が所定温度以下では換気孔を閉じる扉体と、密閉空間の温度に応じて長さ方向に伸縮し、密閉空間が所定温度に達したときには扉体を押圧して換気孔を開くようにする伸縮棒とで、開閉弁を構成したことを特徴とする請求項１記載のソーラーパネル。
【請求項４】
太陽に向けて傾斜配置をさせる請求項１のソーラーパネルであって、密閉空間の水下側及び水上側に換気孔をそれぞれ設け、水上側の換気孔に開閉弁を設けたことを特徴とするソーラーパネル。
【請求項５】
密閉空間が所定温度以上で作動して密閉空間の強制換気を行う送風機を備えたことを特徴とする請求項１記載のソーラーパネル。
【請求項６】
送風機の動力源を発電パネルの起電力にしたことを特徴とする請求項５記載の太陽光及び太陽熱利用のソーラーパネル。
【請求項７】
請求項１の太陽光及び太陽熱利用のソーラーパネルを複数枚平面視で上下左右に並べて設置し、隣接するソーラーパネルの換気孔同士を互いに連通させると共に、吸熱管同士を互いに連結してなるソーラーパネル集合体であって、ソーラーパネル集合体の端部に位置した各ソーラーパネルの吸熱管同士をソーラーパネル集合体外で連結し、この吸熱管の連結部位を覆うカバー体をソーラーパネル集合体の端部に配設し、このカバー体の内部にソーラーパネル集合体全体の密閉空間の強制換気を行う送風機を配置したことを特徴とするソーラーパネル集合体。
【発明の詳細な説明】
【０００１】
【発明の属する技術分野】
本発明は、太陽光を利用して発電を行うと共に、太陽熱や発電の際の発熱を利用して給湯などを行う太陽光及び太陽熱利用のソーラーパネルや、このソーラーパネルで構成したソーラーパネル集合体に関する発明である。
【０００２】
【従来の技術】
従来から、太陽光を利用して発電を行うと共に、太陽熱や発電の際の発熱を利用して給湯などを行う太陽光及び太陽熱利用のソーラーパネル１は、図１３，図１４に示すように、上面が開口せるコレクターケース９の底部に断熱材１０を配置し、この断熱材１０の上に、熱媒が通る吸熱管６を熱伝導性のよい集熱板１１に固定してなる集熱体１２を配置し、この集熱体１２の上に太陽光で発電がなされる発電パネル３を配置し、この発電パネル３の周縁部に配置した気密パッキン１３の上に透明ガラス５を載設し、発電パネル３と透明ガラス５との間に断熱性有する密閉空間４を形成して構成されている。ここで、発電パネル３はシリコン結晶系の発電素子セルで構成されており、太陽光を吸収して発電するのと同時に発熱する特性を有している。しかして、上記構成のソーラーパネル１では、太陽光によって発電パネル３で発電をし、また、発電パネル３が受ける太陽熱及び発電パネル３の発電の際の発熱を断熱材１０及び密閉空間４によってソーラーパネル１外に逃さないようにし、上記太陽熱及び発電パネル３での発熱を効率よく吸熱管６を通る熱媒に吸熱させ得るようにされている。
【０００３】
ここで、シリコン結晶系の発電素子セルで構成された発電パネル３にあっては、温度の上昇に伴って発電効率が低下してしまうといった特性や、温度の過度の上昇によっては表面にふくれなどの損傷が生じるといった特性も有している。上述したようにソーラーパネル１では、密閉空間４や断熱材１０によって太陽熱や発電パネル３の発熱をソーラーパネル１外に逃さないようにされているが、吸熱管６を流れる熱媒が上記太陽熱や発電パネル３の発熱を吸熱する限り、発電パネル３の過度の温度上昇は回避され、発電パネル３の発電に支障をきたすことはないようにされている。
【０００４】
しかしながら、入居者がいない状態（施工後、施主が未入居の場合や、引越し後の空き家状態の場合）の建物にソーラーパネル１が配設されているときなど、吸熱管６内の熱媒の流れが止まっている場合には、太陽熱や発電パネル３の発熱が、上記熱媒に吸熱されないようになってソーラーパネル１内に篭もり続け、これにより発電パネル３の温度が過度に上昇してしまうものであり、発電パネル３の表面にふくれなどの変形損傷を発生させてしまうといった問題を有しているものであった。
【０００５】
【発明が解決しようとする課題】
本発明は上記の点に鑑みてなされたものであり、吸熱管に熱媒が循環しない際でも、発電パネルの温度上昇を防ぎ、発電パネルに熱による変形損傷を発生させないようなソーラーパネル、及びこのソーラーパネルで構成されるソーラーパネル集合体を提供することを課題とするものである。
【０００６】
【課題を解決するための手段】
上記課題を解決するために本発明に係るソーラーパネルは、太陽光にて発電をする発電パネル３の上面に密閉空間４を介して透明ガラス５を配置し、太陽熱と発電パネル３が発電する際の発熱とを吸熱する熱媒を通す吸熱管６を発電パネル３の下面に配設して構成した太陽光及び太陽熱利用のソーラーパネル１において、密閉空間４内の空気を換気する換気孔７を設け、密閉空間４が所定温度以下では換気孔７を閉じると共に、密閉空間４が所定温度以上では換気孔７を開くようにした開閉弁８を設けたことを特徴とする。これによると、ソーラーパネル１の密閉空間４が所定温度以下のときには、開閉弁８は閉じていて、太陽熱と発電パネル３が発電する際の発熱とをソーラーパネル１外に逃さないようにして効率よく吸熱管６の熱媒に吸熱を行わせることができ、また、ソーラーパネル１の密閉空間４が所定温度以上になったときには、開閉弁８が開き、換気孔７を通して密閉空間４内の空気を外気と換気でき、密閉空間４、ひいては発電パネル３の温度上昇を抑制することができる。しかして、発電パネル３が過度の高温になって発電パネル３が熱による変形損傷をしてしまうことを回避できるのであり、ソーラーパネル１を良好な状態に維持することができるのである。
【０００７】
また、密閉空間４が所定温度以下では換気孔７を閉じる形状を保ち、密閉空間４が所定温度以上のときには換気孔７を開ける形状に変形するバイメタルや形状記憶金属で、開閉弁８を構成したことも好ましい。これによると、密閉空間４の温度に応じて開閉弁８自身の変形で換気孔７を開閉できるので、開閉弁８は特に駆動源を必要とせず、入居者がいない状態（施工後、施主が未入居の場合や、引越し後の空き家状態の場合）の建物に設置されたソーラーパネル１にあっても良好な状態に維持できるのであり、また、開閉弁８に温度センサ等の制御手段も備えなくてもよいので、ソーラーパネル１の構成の簡略化、ひいてはソーラーパネル１の低コスト化を図ることができる。
【０００８】
また、密閉空間４が所定温度以下では換気孔７を閉じる扉体８ｂと、密閉空間４の温度に応じて長さ方向に伸縮し、密閉空間４が所定温度に達したときには扉体８ｂを押圧して換気孔７を開くようにする伸縮棒８ｃとで、開閉弁８を構成したことも好ましい。これによると、密閉空間４の温度に応じて開閉弁８自身で換気孔７を開閉できるように開閉弁８を構成することができ、入居者がいない状態（施工後、施主が未入居の場合や、引越し後の空き家状態の場合）の建物に設置されたソーラーパネル１にあっても良好な状態に維持できると共に、ソーラーパネル１の構成の簡略化、ひいてはソーラーパネル１の低コスト化を図ることができる。
【０００９】
また、ソーラーパネル１を太陽に向けて傾斜配置をさせる場合、密閉空間４の水下側及び水上側に換気孔７をそれぞれ設け、水上側の換気孔７ｂに開閉弁８を設けたことも好ましい。これによると、ソーラーパネル１を太陽に向けて傾斜配置した場合には、発熱する発電パネル３の上面付近の高温空気は密閉空間４内の水上側に自然に対流することから、密閉空間４が所定温度以上になったときに水上側の換気孔７ｂの開閉弁８を開けると、密閉空間４内に水下側の換気孔７ａから水上側の換気孔７ｂへの空気流れができて、密閉空間４の換気が自然にできるものである。しかして、送風機３１等の密閉空間４内に空気流れを創出する機器を用いずとも、密閉空間４内の換気が自然に行えるのであり、ソーラーパネル１の構成の簡略化、ひいてはソーラーパネル１の低コスト化を図ることができる。
【００１０】
また、密閉空間４が所定温度以上で作動して密閉空間４の強制換気を行う送風機３１を備えたことも好ましい。これによると、密閉空間４の換気を短時間で効率よく行うことができるものである。
【００１１】
また、送風機３１の動力源を発電パネル３の起電力にしたことも好ましい。これによると、ソーラーパネル１自身でソーラーパネル１を良好に維持させることができるのであり、たとえば入居者がいない状態（施工後、施主が未入居の場合や、引越し後の空き家状態の場合）の建物に設置されたソーラーパネル１にあっても、良好な状態に維持することができる。
【００１２】
また、上記太陽光及び太陽熱利用のソーラーパネル１を複数枚平面視で上下左右に並べて設置し、隣接するソーラーパネル１の換気孔７同士を互いに連通させると共に、吸熱管６同士を互いに連結してなるソーラーパネル集合体２にあっては、ソーラーパネル集合体２の端部に位置した各ソーラーパネル１の吸熱管６同士をソーラーパネル集合体２外で連結し、この吸熱管６の連結部位を覆うカバー体２９をソーラーパネル集合体２の端部に配設し、このカバー体２９の内部にソーラーパネル集合体２全体の密閉空間４の強制換気を行う送風機３１を配置したことを特徴とする。これによると、送風機３１によってソーラーパネル集合体２全体の密閉空間４の換気を効率よく行うことができ、ソーラーパネル集合体２を良好に維持できるものであり、また、この送風機３１はカバー体２９内の空きスペースに配置できて収まりが良く、ソーラーパネル集合体２に見栄えのよい外観を現出することができる。
【００１３】
【発明の実施の形態】
以下、本発明を添付図面に示す実施形態に基づいて説明する。
【００１４】
図１乃至図５に本発明の実施の形態の例を示す。図１にはソーラーパネルの概略側面断面図を示し、図２にはソーラーパネルの分解斜視図を示し、図３にはソーラーパネルを屋根に設置した状態の側面断面図を示し、図４にはソーラパネルを利用した給湯システムの概略システム図を示している。
【００１５】
ソーラーパネル１は、図２に示すように、上面が開口せるコレクターケース９の底部に断熱材１０を配置し、この断熱材１０の上に、熱媒が通る吸熱管６を熱伝導性のよい集熱板１１に固定してなる集熱体１２を配置し、この集熱体１２の上に太陽光で発電がなされる発電パネル３を配置し、この発電パネル３の周縁部に配置した気密パッキン１３の上に透明ガラス５を配置し、発電パネル３と透明ガラス５との間に断熱性を有する密閉空間４を形成して構成されたパネルユニットである。ここで、発電パネル３は、シリコン結晶系の発電素子セルで構成されている。しかして、この発電パネル３は、太陽光による発電が可能にされており、また、この発電の際には発熱もなされるといった特性を有している。また同時に、温度の上昇に伴って発電効率が低下するといった特性や、温度の過度の上昇によっては表面にふくれなどの損傷が生じるといった特性も有している。
【００１６】
したがって、このソーラーパネル１は、発電パネル３で太陽光による発電が為されると同時に発熱をし、発電パネル３が受ける太陽熱と上記発電パネル３の発電の際の発熱とを吸熱管６に通した熱媒に吸熱させ、この熱媒に吸収させた熱エネルギで給湯などを行うようにできるのである。特に、このソーラーパネル１にあっては、太陽熱と上記発電パネル３の発電の際の発熱との熱を密閉空間４及び断熱材１０でソーラーパネル１内に封じ込めることができるので、ソーラーパネル１で生じた熱を効率よく熱媒に吸熱させ得るようにされているのである。
【００１７】
図４には、このソーラーパネル１を用いた給湯システムの例を示す。この給湯システムは、ソーラーパネル１の熱媒が流れる吸熱管６を給湯システムの熱媒経路１４に接続させ、この熱媒経路１４に設けた熱交換器１５を貯湯タンク１６内に配置し、熱交換器１５で熱媒の熱を貯湯タンク１６内の水に放熱して加熱し、貯湯タンク１６内の水をお湯に変えて給湯できるようにしたシステムである。詳述すると、この熱媒経路１４は、熱媒を循環させる循環ポンプ１７、熱媒が有する熱を放熱する熱交換器１５、膨張した熱媒を逃がす膨張タンク１８を有して構成された配管経路である。また、貯湯タンク１６は、その底部に水を貯湯タンク１６内に供給するための給水配管１９が接続され、その上部にお湯を外部に供給するための給湯配管２０が接続されている。なお、給水配管１９の途中には減圧逆止弁２１が設けてあり、給湯配管２０の途中には逃し弁２２が設けてある。しかして、この給湯システムでは、循環ポンプ１７を駆動させることで、熱媒がソーラーパネル１内を通って太陽熱や発電パネル３での発熱を吸熱し、この熱媒が続けて貯湯タンク１６内に配置された熱交換器１５に至り、この熱交換器１５によって貯湯タンク１６内の水に熱媒の熱を放熱し、貯湯タンク１６内の水を加熱して給湯できるようにされているのである。
【００１８】
なお、このソーラーパネル１は、太陽光や太陽熱を効率よく発電パネル３で受け得るようにするため、太陽に向けて傾斜配置させることがしばしば行われる。ここで図３には、ソーラーパネル１を斜めに傾斜した屋根に沿わせて配設した例を示す。この例では、屋根材２３上に矩形状のパネル枠２４を取り付け、このパネル枠２４内にソーラーパネル１を配置し、パネル枠２４とコレクターケース９、パネル枠２４と透明ガラス５の周縁に嵌め込まれたガラス枠２５とをそれぞれ固定することでソーラーパネル１の屋根への強固な配設が行われている。なお、図中２６は透明ガラス５とガラス枠２５との間を水密構造にする防水ビートである。
【００１９】
ところで、従来技術の項で述べたように、上記構成を有するソーラーパネル１にあっては、入居者がいない状態（施工後、施主が未入居の場合や、引越し後の空き家状態の場合）の建物にソーラーパネル１が配設されているときなど、吸熱管６内の熱媒の流れが止まっている場合には、太陽熱や発電パネル３の発熱が、上記熱媒に吸熱されないようになってソーラーパネル１内に篭もり続け、これにより発電パネル３の温度が過度に上昇し、発電パネル３の発電効率を下げてしまったり、ひいては発電パネル３の表面にふくれなどの変形損傷を発生させてしまう恐れを有するものであったが、本例のソーラーパネル１にあっては、下記に記す構成を備えることで、この恐れを解消させているのである。
【００２０】
つまり、本例のソーラーパネル１にあっては、気密パッキン１３の水下側及び水上側にそれぞれ密閉空間４とソーラーパネル１外部とを連通する換気孔７が形成されている。詳述すると、水下側の換気孔７ａは気密パッキン１３の水下側辺部における長手方向の複数箇所に設けられており、水上側の換気孔７ｂは気密パッキン１３の水上側辺部の大部分を占めるような長孔状に形成されている。そして、この水上側の換気孔７ｂには、密閉空間４が所定温度以下では換気孔７を閉じると共に、密閉空間４が所定温度以上では換気孔７を開くようにした開閉弁８が設けられている。ここで、開閉弁８の開閉基準となる密閉空間４の所定温度とは、発電パネル３にふくれなどの損傷を負わせず、発電パネル３の発電機能を低下させないような温度に設定される。
【００２１】
したがって、本例のソーラーパネル１にあっては、ソーラーパネル１の密閉空間４が所定温度以下のときには、開閉弁８は閉じていて、太陽熱と発電パネル３が発電する際の発熱とをソーラーパネル１外に逃さないようにして効率よく吸熱管６の熱媒に吸熱を行わせることができるのは勿論、ソーラーパネル１を配設した建物で入居者がいない状態（施工後、施主が未入居の場合や、引越し後の空き家状態の場合）のときなど、吸熱管６内の熱媒の流れが止まっている場合にソーラーパネル１の密閉空間４が所定温度以上になったときには、開閉弁８が開き、換気孔７を通して密閉空間４内の空気を外気と換気でき、密閉空間４、ひいては発電パネル３の温度上昇を抑制することができる。しかして、発電パネル３が過度の高温になって発電パネル３が熱による変形損傷をしてしまうことを回避できるのであり、ソーラーパネル１を良好に維持することができるのである。
【００２２】
特に本例のソーラーパネル１にあっては、温度の高い空気は上昇するといった空気の自然対流を利用して密閉空間４の換気を行わせているため、ソーラーパネル１の構成の簡略化、ひいてはソーラーパネル１の低コスト化が図られているのである。つまり、太陽熱が照射されたり、発電の際に発熱する発電パネル３の表面近傍における密閉空間４内の空気は、上昇して密閉空間４の水上側に移動する。しかして、水上側の換気孔７ｂを塞いでおけば、太陽熱や発電パネル３の発熱による熱はソーラーパネル１の外部に逃げることはなく、また、水上側の換気孔７ｂを開けておけば、太陽熱や発電パネル３の発熱による熱は水上側の換気孔７ｂを通ってソーラーパネル１の外部に放出されるのである。したがって、適宜、太陽熱や発電パネル３の発熱による熱をソーラーパネル１内に留めたり、ソーラーパネル１外に逃したりすることを可能にするには、水上側の換気孔７ｂに開閉弁８を設けるだけでよく、つまり開閉弁８の設置数を少なくできるので、ソーラーパネル１の構成の簡略化、ひいてはソーラーパネル１の低コスト化を可能にしているのである。
【００２３】
また、本例の開閉弁８は、図５（ａ）に示すように密閉空間４が所定温度以下では換気孔７を塞ぐようにくの字状の折曲板状の形状を保ち、図５（ｂ）に示すように密閉空間４が所定温度以上のときには換気孔７を開けるように直線板状の形状になるバイメタルや形状記憶金属製の板材８ａで構成され、水上側の換気孔７ｂに位置するガラス枠２５の下面に設けた弁保持凹部２７に圧入することで水上側の換気孔７ｂに取り付けられている。このように本例のソーラーパネル１にあっては、密閉空間４の温度に応じて開閉弁８自身の変形で換気孔７を開閉できるので、開閉弁８は特に駆動源を必要とせず、入居者がいない状態（施工後、施主が未入居の場合や、引越し後の空き家状態の場合）の建物に設置されたソーラーパネル１にあっても良好な状態に維持できるのであり、また、密閉空間４の温度に応じて変形する開閉弁８には、温度センサ等の制御手段も備えなくてもよいので、ソーラーパネル１の構成の簡略化、ひいてはソーラーパネル１の低コスト化を図ることも可能にされているのである。
【００２４】
また、図６及び図７には本発明の実施の形態の他例を示す。この例は、水上側の換気孔７ｂに設ける開閉弁８の構成を違えた例である。先の実施の形態の例と同様部位には同じ番号を付して説明を省き、相違する部位につき説明する。
【００２５】
本例の開閉弁８は、密閉空間４が所定温度以下では換気孔７を閉じるように付勢された扉体８ｂと、密閉空間４の温度に応じて長さ方向に伸縮し、密閉空間４が所定温度に達したときに扉体８ｂを付勢に抗って押圧して換気孔７を開くようにする伸縮棒８ｃとで構成されている。詳述すると、水上側の換気孔７ｂには換気孔７を開閉する扉体８ｂが枢支されている。この扉体８ｂは換気孔７を閉じる方向にバネ等で付勢されており、通常、換気孔７を閉じるようにされている。また、伸縮棒８ｃは温度変化により伸縮する線膨張率の大きい金属棒であり、水下側の気密パッキン１３に固定されて密閉空間４内を水上側の換気孔７ｂに向って突設されている。そして、この伸縮棒８ｃは密閉空間４の温度に応じて伸縮し、密閉空間４が所定温度に上昇したときに、所定長さに伸張した伸縮棒８ｃの先端が扉体８ｂをソーラーパネル１の外方に押圧して換気孔７を開け、この換気孔７から密閉空間４の高温空気を排出するようにしているのである（図７）。
【００２６】
上述した本例の開閉弁８にあっても、先の実施の形態の例の開閉弁８同様、密閉空間４の温度に応じて開閉弁８自身の変形で換気孔７を開閉できるので、開閉弁８は特に駆動源を必要とせず、入居者がいない状態（施工後、施主が未入居の場合や、引越し後の空き家状態の場合）の建物に設置されたソーラーパネル１にあっても良好な状態に維持できるのであり、また、開閉弁８に温度センサ等の制御手段も備えなくてもよいので、ソーラーパネル１の構成の簡略化、ひいてはソーラーパネル１の低コスト化を図ることも可能にできるのである。
【００２７】
また、図示はしないが、開閉弁８を伸縮棒８ｃの先端に扉体８ｂを固定させて構成し、密閉空間４が所定温度以下の場合には扉体８ｂが換気孔７を遮蔽する位置に位置し、密閉空間４が所定温度に達したときには扉体８ｂが換気孔７外に位置して換気孔７を開放するようにしてもよい。この開閉弁８は先の例の開閉弁８に比べて扉体８ｂを換気孔７に枢支しなくて済むため、部品点数を更に低減できて、ソーラーパネルの構成の簡略化を図ることができる。
【００２８】
また、図８乃至図１２には、上述したソーラーパネル１を、複数枚、平面視で上下左右に並べて設置し、隣接するソーラーパネル１の換気孔７同士を互いに連通させると共に、吸熱管６同士を互いに連結して構成したソーラーパネル集合体２を示す。ここで、一般的にソーラーパネル集合体２では、ソーラーパネル１の吸熱管６の配管パターンによって、隣接するソーラーパネル１の吸熱管６がそのまま連結できるのは、上下または左右のどちらか一方であり、他方に隣接するソーラーパネル１の吸熱管６はそのままでは連結できるものではない。本例のソーラーパネル集合体２は、左右に隣接したソーラーパネル１同士の吸熱管６はそのまま接続でき、上下に隣接したソーラーパネル１同士の吸熱管６はそのままでは接続できないものである。しかして、上下に隣接したソーラーパネル１同士の吸熱管６は、ソーラーパネル集合体２の左右方向の側端部分で別個連結管２８を用いて連結されている。そして、この連結管２８のあるソーラーパネル集合体２の左右方向の側端部分には、連結管２８を覆って外観や強度を向上させるカバー体２９が配設されるのである。このカバー体２９は、ソーラーパネル集合体２の左右方向の側端部分に沿うような、上下に長く下方に開口した断面コ字状のチャンネル材で構成されている（図９）。また、本例のソーラーパネル集合体２では、隣接するソーラーパネル１の密閉空間４同士も連通されている。これは、図１０（ａ）に示すように各ソーラーパネル１の対向する換気孔７を連結パイプ３０で接続することで行われている。そして、このソーラーパネル集合体２では、カバー体２９の内部に送風機３１を配置し、図１０（ｂ）に示すように送風機３１からソーラーパネル１の換気孔７に接続した送風配管３２が延設されている。この送風機３１はソーラーパネル１の密閉空間４内の温度が所定温度に達したときに空気を送風するものである。たとえば、この送風機３１の作動のオンオフは、ソーラーパネル１の密閉空間４や発電パネル３の表面部分等に配置した温度センサ（図示せず）によって制御されるようになっている。
【００２９】
しかして、このソーラーパネル集合体２にあっては、ソーラーパネル１の密閉空間４が所定温度以下の場合には、開閉弁８が換気孔７を閉じ、各ソーラーパネル１の密閉空間４でそれぞれ太陽熱や発電パネル３の発熱をソーラーパネル１外への逃がさないようにして、吸熱管６の熱媒が効率よく上記熱を吸熱できるようになっており、また、ソーラーパネル１の密閉空間４が所定温度以上に達した場合には、開閉弁８が換気孔７を開けると共に送風機３１が作動し、各ソーラーパネル１の密閉空間４内の空気が強制的に換気され、各ソーラーパネル１の密閉空間４の温度を効率よく低下できるようになっている。なお、このように送風機３１でソーラーパネル１の密閉空間４を強制換気することは、先の実施の形態の例や他例にあるように密閉空間４内の空気の自然対流を利用して換気を行う場合に比べて、短時間で効率よく密閉空間４の換気ができるのは言うまでもない。
【００３０】
また、この送風機３１はカバー体２９の内部に配置されているが、これは、連結管２８を覆うカバー体２９内の空きスペースに送風機３１を配置したことで、ソーラーパネル集合体２に収まりの良い見栄えの良い外観を現出させることが可能にされているのである。また、この送風機３１の動力源は発電パネル３の起電力でまかなうようにされている。しかして、入居者がいない状態（施工後、施主が未入居の場合や、引越し後の空き家状態の場合）の建物に設置されたソーラーパネル集合体２にあっても良好な状態に維持できるようにされているのである。
【００３１】
なお、図１１に示すソーラーパネル集合体２は、送風機３１の送風配管３２は送風機３１に隣接したソーラーパネル１の水下側の換気孔７ａに接続されており、送風機３１によって送風機３１に隣接したソーラーパネル１の密閉空間４に外気が送風され、この外気に押された密閉空間４の空気が連結パイプ３０を通って各ソーラーパネル１の密閉空間４に移動してゆき、最終的に密閉空間４内の空気は水上側に配置されたソーラーパネル１の水上側の換気孔７ｂから排出されるように構成されている。このソーラーパネル集合体２では、ソーラーパネル１内に送風機３１の送風配管３２を配設しないことから、送風機３１の送風配管３２を容易に配設でき、施工良くソーラーパネル集合体２を配設できるといった利点を有しているのである。
【００３２】
また、図１２に示すソーラーパネル集合体２は、送風機３１の送風配管３２はソーラーパネル集合体２を構成せる各ソーラーパネル１の水下側の換気孔７ａにそれぞれ接続されるように配設されており、送風機３１によって各ソーラーパネル１の密閉空間４に直接外気が送風され、この外気に押された密閉空間４の空気が連結パイプ３０を通って水上側のソーラーパネル１の密閉空間４に移動してゆき、最終的に水上側に配置されたソーラーパネル１の水上側の換気孔７ｂから密閉空間４内の空気が排出されるように構成されている。このソーラーパネル集合体２では、各ソーラーパネル１にそれぞれ送風機３１を配設した効果と同様の効果が得られるのであって、つまり各ソーラーパネル１の密閉空間４に直接外気を送風できるのであって、密閉空間４の換気効率を向上できるといった利点を有しているのである。
【００３３】
【発明の効果】
上記のように本発明の請求項１記載の発明にあっては、太陽光にて発電をする発電パネルの上面に密閉空間を介して透明ガラスを配置し、太陽熱と発電パネルが発電する際の発熱とを吸熱する熱媒を通す吸熱管を発電パネルの下面に配設して構成した太陽光及び太陽熱利用のソーラーパネルにおいて、密閉空間内の空気を換気する換気孔を設け、密閉空間が所定温度以下では換気孔を閉じると共に、密閉空間が所定温度以上では換気孔を開くようにした開閉弁を設けたので、ソーラーパネルの密閉空間が所定温度以下のときには、開閉弁は閉じていて、太陽熱と発電パネルが発電する際の発熱とをソーラーパネル外に逃さないようにして効率よく吸熱管の熱媒に吸熱を行わせることができ、また、ソーラーパネルの密閉空間が所定温度以上になったときには、開閉弁が開き、換気孔を通して密閉空間内の空気を外気と換気でき、密閉空間、ひいては発電パネルの温度上昇を抑制することができる。しかして、発電パネルが過度の高温になって発電パネルが熱によって変形損傷してしまうことを回避できるのであり、ソーラーパネルを良好な状態に維持することができるのである。
【００３４】
また、請求項２記載の発明にあっては、請求項１の効果に加えて、密閉空間が所定温度以下では換気孔を閉じる形状を保ち、密閉空間が所定温度以上のときには換気孔を開ける形状に変形するバイメタルや形状記憶金属で、開閉弁を構成したので、密閉空間の温度に応じて開閉弁自身の変形で換気孔を開閉でき、つまり開閉弁は特に駆動源を必要としないことから、入居者がいない状態（施工後、施主が未入居の場合や、引越し後の空き家状態の場合）の建物に設置されたソーラーパネルにあっても良好な状態に維持できるのである。また、開閉弁に温度センサ等の制御手段も備えなくてもよいので、ソーラーパネルの構成の簡略化、ひいてはソーラーパネルの低コスト化を図ることができるのである。
【００３５】
また、請求項３記載の発明にあっては、請求項１の効果に加えて、密閉空間が所定温度以下では換気孔を閉じる扉体と、密閉空間の温度に応じて長さ方向に伸縮し、密閉空間が所定温度に達したときには扉体を押圧して換気孔を開くようにする伸縮棒とで、開閉弁を構成したので、密閉空間の温度に応じて開閉弁自身の変形で換気孔を開閉でき、つまり開閉弁は特に駆動源を必要としないことから、入居者がいない状態（施工後、施主が未入居の場合や、引越し後の空き家状態の場合）の建物に設置されたソーラーパネルにあっても良好な状態に維持できるのである。また、開閉弁に温度センサ等の制御手段も備えなくてもよいので、ソーラーパネルの構成の簡略化、ひいてはソーラーパネルの低コスト化を図ることができるのである。
【００３６】
また、請求項４記載の発明にあっては、請求項１の効果に加えて、ソーラーパネルを太陽に向けて傾斜配置をさせる場合、密閉空間の水下側及び水上側に換気孔をそれぞれ設け、水上側の換気孔に開閉弁を設けたので、密閉空間の換気を密閉空間内の空気の自然対流を利用して行うことができ、つまり送風機等の密閉空間内に空気流れを創出する機器を用いずとも密閉空間内の換気が自然に行えるのであり、ソーラーパネルの構成の簡略化、ひいてはソーラーパネルの低コスト化を図ることができる。
【００３７】
また、請求項５記載の発明にあっては、請求項１の効果に加えて、密閉空間が所定温度以上で作動して密閉空間の強制換気を行う送風機を備えたので、密閉空間の換気を短時間で効率よく行うことができるものである。
【００３８】
また、請求項６記載の発明にあっては、請求項１の効果に加えて、送風機の動力源を発電パネルの起電力にしたので、ソーラーパネル自身でソーラーパネルを良好に維持させることができるのであり、入居者がいない状態（施工後、施主が未入居の場合や、引越し後の空き家状態の場合）の建物に設置されたソーラーパネルにあっても、良好な状態に維持することができるのである。
【００３９】
また、請求項７記載の発明にあっては、請求項１の太陽光及び太陽熱利用のソーラーパネルを複数枚平面視で上下左右に並べて設置し、隣接するソーラーパネルの換気孔同士を互いに連通させると共に、吸熱管同士を互いに連結してなるソーラーパネル集合体であって、ソーラーパネル集合体の端部に位置した各ソーラーパネルの吸熱管同士をソーラーパネル集合体外で連結し、この吸熱管の連結部位を覆うカバー体をソーラーパネル集合体の端部に配設し、このカバー体の内部にソーラーパネル集合体全体の密閉空間の強制換気を行う送風機を配置したので、送風機によってソーラーパネル集合体全体の密閉空間の換気を効率よく行うことができ、ソーラーパネル集合体を良好に維持できるものであり、また、この送風機はカバー体内の空きスペースに配置できて収まりが良く、ソーラーパネル集合体に見栄えのよい外観を現出することができるのである。
【図面の簡単な説明】
【図１】本発明の実施の形態の例のソーラーパネルの概略側面断面図である。
【図２】同上のソーラーパネルの分解斜視図である。
【図３】同上のソーラーパネルを屋根に設置した状態の側面断面図を示す。
【図４】同上のソーラパネルを利用した給湯システムの概略システム図である。
【図５】同上の開閉弁の開閉動作を説明するものであり、（ａ）は開閉弁が換気孔を閉じた状態を示す部分側面断面図であり、（ｂ）は開閉弁が換気孔を開けた状態を示す部分側面断面図である。
【図６】本発明の実施の形態の他例を示すソーラーパネルの部分斜視図である。
【図７】同上の開閉弁の動作を説明するソーラーパネルの部分側面断面図である。
【図８】本発明の実施の形態の更に他例を示すソーラーパネル集合体の平面図である。
【図９】同上のカバー体の斜視図である。
【図１０】（ａ）はソーラーパネル同士の密閉空間の接続を説明する部分側面断面図であり、（ｂ）は送風機のソーラーパネルの換気孔への接続を説明する部分側面断面図である。
【図１１】同上のソーラーパネル集合体の一例を示す平面図である。
【図１２】同上のソーラーパネル集合体の他例を示す平面図である。
【図１３】従来技術のソーラーパネルの側面断面図である。
【図１４】同上のソーラーパネルの分解斜視図である。
【符号の説明】
１　ソーラーパネル
２　ソーラーパネル集合体
３　発電パネル
４　密閉空間
５　透明ガラス
６　吸熱管
７　換気孔
８　開閉弁
【図１】
2004060972.tif 000003
【図２】
2004060972.tif 000004
【図３】
2004060972.tif 000005
【図４】
2004060972.tif 000006
【図５】
2004060972.tif 000007
【図６】
2004060972.tif 000008
【図７】
2004060972.tif 000009
【図８】
2004060972.tif 000010
【図９】
2004060972.tif 000011
【図１０】
2004060972.tif 000012
【図１１】
2004060972.tif 000013
【図１２】
2004060972.tif 000014
【図１３】
2004060972.tif 000015
【図１４】
2004060972.tif 000016